(57)【要約】【課題】簡易に太陽電池を取り付けることができ、かつ、輸送時や施工時の手間を省略することを可能とし、なおかつ、太陽電池の表面の汚れを抑制することを可能としたプレキャストコンクリート部材を提供する。【解決手段】太陽電池２が配設される取付面１１を有する壁部１０と、取付面１１の下端に沿って形成された排水路２０と、排水路２０の下側に形成された突出部３０と、を備えるプレキャストコンクリート部材１であって、排水路２０は当該排水路２０に流れ込んだ水が側方に流れるように水勾配が付いていて、突出部３０は取付面１１よりも前方に突出している。【選択図】図１
2012036621.tif 000002
【特許請求の範囲】
【請求項１】
太陽電池が配設される取付面を有する壁部と、
前記取付面の下端に沿って形成された排水路と、
前記排水路の下側に形成された突出部と、を備えるプレキャストコンクリート部材であって、
前記排水路は、当該排水路に流れ込んだ水が側方に流れるように水勾配が付いていて、
前記突出部は、前記取付面よりも前方に突出していることを特徴とする、プレキャストコンクリート部材。
【請求項２】
太陽電池が配設される取付面を上下に２段以上有する壁部と、
前記各取付面の下端に沿って形成された排水路と、
前記各排水路の下側に形成された突出部と、を備えるプレキャストコンクリート部材であって、
前記排水路は、当該排水路に流れ込んだ水が側方に流れるように水勾配が付いていて、
前記突出部は、前記取付面よりも前方に突出していることを特徴とする、プレキャストコンクリート部材。
【請求項３】
前記取付面から壁部の背面に至る配線用の貫通孔が形成されており、
前記壁部の背面には、配線用の凹溝が形成されていることを特徴とする請求項１または請求項２に記載のプレキャストコンクリート部材。
【請求項４】
前記取付面の法線が、水平面に対して上向きに傾斜していることを特徴とする請求項１乃至請求項３のいずれか１項に記載のプレキャストコンクリート部材。
【発明の詳細な説明】
【技術分野】
【０００１】
本発明は、プレキャストコンクリート部材に関する。
【背景技術】
【０００２】
太陽光発電によれば、太陽からの放射エネルギーを、二酸化炭素を放出することなくエネルギーに変換して利用することができる。
【０００３】
太陽光発電による発電量は、太陽電池の設置面積により決定されるため、発電量をより多く得るためには、太陽電池の設置面積を広くする必要がある。
太陽電池は、建物の屋上などに水平方向に敷き並べて設置するのが一般的であった。ところが、建物の屋上だけでは、太陽電池の設置スペースに限りがある。
【０００４】
そのため、建物外壁等に沿って太陽電池を縦方向に並べることで、設置面積を確保する技術が開発されている。
例えば、特許文献１には、垂直な壁面に沿って太陽電池が埋め込まれたプレキャストコンクリート部材が開示されている。
【先行技術文献】
【特許文献】
【０００５】
【特許文献１】特開平０８−１２０８２７号公報
【発明の概要】
【発明が解決しようとする課題】
【０００６】
特許文献１に記載の技術は、プレキャストコンクリート部材の表層部に太陽電池が露出しているため、そのままでは平積みすることができず、プレキャストコンクリート部材の輸送時や保管時において、防護工（養生等）に手間を要していた。
【０００７】
また、壁面に設置された太陽電池の清掃には手間がかかるため、太陽電池の表面に雨だれ等による汚れが付き難くするための装備を備えるのが望ましいが、その設置作業に手間を要していた。
【０００８】
本発明は、このような問題点を解決するためになされたものであり、太陽電池を取り付けた状態でも平積みすることができ、かつ、太陽電池の表面の汚れを抑制することを可能としたプレキャストコンクリート部材を提供することを課題とする。
【課題を解決するための手段】
【０００９】
前記課題を解決するために、本発明のプレキャストコンクリート部材は、太陽電池が配設される取付面を有する壁部と、前記取付面の下端に沿って形成された排水路と、前記排水路の下側に形成された突出部と、を備え、前記排水路は、当該排水路に流れ込んだ水が側方に流れるように水勾配が付いていて、前記突出部は、前記取付面よりも前方に突出していることを特徴としている。
なお、太陽電池が配設される取付面は、上下に２段以上設けてもよい。
【００１０】
かかるプレキャストコンクリート部材によれば、突出部が平積み時の接触部分になり得るので、太陽電池を設置した状態でも平積みすることが可能となる。
また、水切りとして、排水路を有しているため、太陽電池の表面に雨だれ等による汚れが付き難い。
【００１１】
前記取付面から壁部の背面に至る配線用の貫通孔が形成されており、前記壁部の背面に配線用の凹溝が形成されていれば、太陽電池の配線作業が容易となる。
【００１２】
前記取付面の法線が、水平面に対して上向きに傾斜していれば発電効率が向上する。
【発明の効果】
【００１３】
本発明のプレキャストコンクリート部材によれば、太陽電池を取り付けた状態でも平積みすることができ、かつ、太陽電池の表面の汚れを抑制することを可能となる。
【図面の簡単な説明】
【００１４】
【図１】本発明の実施の形態に係るプレキャストコンクリート部材を示す斜視図である。
【図２】（ａ）は同プレキャストコンクリート部材の正面図、（ｂ）は（ａ）の一部分を示す拡大図である。
【図３】（ａ）は同プレキャストコンクリート部材の断面図、（ｂ）は（ａ）の一部分を示す拡大図である。
【図４】同プレキャストコンクリート部材の背面図である。
【図５】（ａ）および（ｂ）は凹溝を示す拡大断面図である。
【図６】プレキャストコンクリート部材の搬送状況を示す図である。
【図７】プレキャストコンクリート部材の変形例を示す側面図である。
【発明を実施するための形態】
【００１５】
本発明の実施形態に係るプレキャストコンクリート部材１は、図１に示すように、太陽電池２が配設される取付面１１を有する壁部１０と、取付面１１の下端に沿って形成された排水路２０と、排水路２０の下側に形成された突出部３０と、壁部１０の下端に形成された脚部４０と、を備えている。
【００１６】
プレキャストコンクリート部材１は、バルコニーの先端に設置されて、転落防止用部材として機能する。プレキャストコンクリート部材１は、壁部１０と脚部４０とにより、断面視Ｌ字状に形成されている。
【００１７】
壁部１０は、バルコニーの先端（建物の外面）に沿って立設される版状部分であって下端に形成された脚部４０と一体に形成されている。
【００１８】
図２（ａ）に示すように、壁部１０の表面には取付面１１が、上下に２段形成されている。
また、図４に示すように、壁部１０の背面には、配線用の凹溝１２が形成されている。
【００１９】
取付面１１は、太陽電池２が固定される部分であって、平面に形成されている。なお、取付面１１は、デザイン的な配慮から曲面としてもよい。
【００２０】
取付面１１は、図３（ａ）に示すように、取付面１１の法線１１ａが水平面ｈに対して上向きに０°より大きく３０°以下の角度により傾斜するように形成されている。つまり、取付面１１の下端が上端よりも前方に突出しており、上方から照射される太陽光を受光しやすくなるように形成されている。なお、取付面１１の傾斜角度は限定されるものではなく、３０°を超えてもよいし、０°でもよい。
【００２１】
壁部１０には、取付面１１から壁部１０の背面に至る配線用の貫通孔１３が形成されている。
貫通孔１３は、取付面１１の左右両端部に形成されており、太陽電池２の電気ケーブル等を挿通し、壁部１０の背面側に配線することを可能としている。
【００２２】
貫通孔１３の形成方法は限定されるものではないが、例えば、金属パイプや樹脂製パイプを埋設することにより形成すればよい。
【００２３】
貫通孔１３は、表面側（取付面１１）が背面側よりも低くなるように形成されている。これにより、壁部１０の表面から背面への雨水等の浸入が防止される。
【００２４】
なお、貫通孔１３は、その表面側が、箱抜きにより拡幅されていて、端子ボックス１３ａが設置されている。太陽電池２から延出する配線ケーブルは、端子ボックス１３ａに接続される。端子ボックス１３ａからは、太陽電池２用の電気ケーブルが延設されている。電気ケーブルは、貫通孔１３を挿通して、壁部１０の背面に配線される。なお、端子ボックス１３ａは、必要に応じて設置すればよく、省略してもよい。
【００２５】
貫通孔１３には、太陽電池２用の電気ケーブルを挿通した後、耐火シール等を充填する。また、貫通孔１３の表面側は、止水シールにより遮蔽する。
【００２６】
凹溝１２は、図４に示すように、電気ケーブルの配線を行うために壁部１０の背面に形成されている。なお、凹溝１２に代えて、壁部１０の背面に沿って金属パイプや樹脂製パイプを配置することにより電気ケーブルの配線を可能に構成してもよい。また、凹溝１２や端子ボックス１３ａを省略して、電気ケーブルを壁部１０の表面に直接配線してもよい。
【００２７】
本実施形態では、凹溝１２を、左右の貫通孔１３を連結するように形成された上下二段の横溝１２ａ，１２ｂと、上下の横溝１２ａ，１２ｂを連結する縦溝１２ｃ，１２ｃと、により形成している。
なお、凹溝１２の形状は限定されるものではなく、適宜形成すればよい。また、凹溝１２を形成せずに、適宜電線管や電気ボックスを打込んで電線を通線してもよい。
【００２８】
上側の貫通孔１３を挿通した電気ケーブルは、上側の横溝１２ａに配線された後、縦溝１２ｃを介して下側の横溝１２ｂに配線される。
下側の横溝１２ｂは、隣接する他のプレキャストコンクリート部材１の横溝１２ｂと接続可能に形成されている。電気ケーブルは、横溝１２ｂに集約された状態で配線されている。
【００２９】
凹溝１２は、図５（ａ）に示すように、電気ケーブルの配線後、溝蓋１２ｄにより遮蔽する。これにより、電気ケーブルが露出することがなく、保護される。
なお、凹溝１２内への水分の浸入を防止する場合には、図５（ｂ）に示すように、溝蓋１２ｄと壁部１０の背面との間に、パッキン１２ｅ等を介設する。
【００３０】
また、図５（ｂ）に示すように、凹溝１２に沿って溝蓋１２ｄを収容する凹部を形成してもよい。
【００３１】
壁部１０には、図１および図３に示すように、取付面１１の上端に沿って治具２ａを設置するための取付溝１４が形成されている。
なお、取付溝１４は必要に応じて形成すればよく、省略してもよい。
【００３２】
排水路２０は、図１および図２に示すように、太陽電池２に滴下した雨水等を側方に排水するように形成された部分であって、各取付面１１の下面に沿ってそれぞれ形成されている。
【００３３】
図２（ｂ）に示すように、排水路２０には、当該排水路２０に流れ込んだ水が側方に流れるように中央から左右に向かって低くなる水勾配ｉｗが付いている。
なお、水勾配ｉｗは、左右のいずれか一方から他方に流れるように形成されていてもよい。
【００３４】
本実施形態では、取付面１１の下端に沿って、形成した溝を排水路２０としているが、排水路２０は必ずしも溝状に形成されている必要はない。例えば、溝を形成せずに、取付面１１よりも突出している突出部３０の上面を排水路２０として使用してもよい。
【００３５】
排水路２０を流下した水（雨水等）は、プレキャストコンクリート部材１の両端の縦目地に沿って下方へ流下する。
【００３６】
壁部１０は、上下２段の突出部３０，３０を備えている。
上側の突出部３０は、上側の排水路２０と下側の取付面１１との間に形成されている。
下側の突出部３０は、下側の排水路２０と下側に沿って形成されている。
【００３７】
突出部３０は、上下２段の排水路２０の下側に沿ってそれぞれ形成されている。
突出部３０は、先端面が取付面１１（取付面１１に取り付けられた太陽電池２）よりも前方に位置するように形成されている。突出部３０の突出長は限定されるものではないが、太陽電池２の表面よりも５ｍｍ以上（本実施形態では約１５ｍｍ）突出するように構成している。
【００３８】
突出部３０の先端面は帯状であり、図３（ａ）に示すように、平面を呈している。また、上下の突出部３０，３０の先端面は、同一平面状に位置している。すなわち、上下に配設された突出部３０，３０は、互いの先端面から延びる延長線同士が一致するように形成されている。
また、上側の突出部３０の先端面から下側の取付面１１（取付溝１４）との間には、傾斜面が形成されている。
【００３９】
太陽電池２は、シート状に形成されたいわゆるフィルム型太陽電池であって、取付面１１に貼り付けられている。なお、太陽電池２は、フィルム型太陽電池に限定されるものではない。また、太陽電池２の固定方法も限定されるものではなく、太陽電池２の構成に応じて適宜設定すればよい。
【００４０】
太陽電池２は、図３（ｂ）に示すように、その上辺及び下辺（図面では上片のみ示す）が治具２ａを介して係止されることで、取付面１１からの剥がれが防止されている。
【００４１】
治具２ａは、断面Ｌ字状に形成された部材であって、アンカー２ｂを介して取付面１１の上端および下端に固定されている。
治具２ａは、一方の片が取付面１１の表面において、太陽電池２の縁部に沿って配設され、他方の片が取付溝１４内に挿入される。
なお、治具２ａの構成は限定されるものではなく、適宜設定することが可能である。
また、治具２ａおよびアンカー２ｂの周辺には、止水、隙間埋めおよび太陽電池２の固定のために、適宜シーリングを施工してもよい。
【００４２】
脚部４０は、壁部１０の下端に一体に形成されており、プレキャストコンクリート部材１をバルコニーに設置する際の接続部として機能する。
脚部４０の上面には、排水溝が形成されており、バルコニー上面の排水が可能に構成されている。
【００４３】
なお、脚部４０は、プレキャストコンクリート部材１の使用目的や設置箇所等に応じて形成すればよく、省略してもよい。
【００４４】
本実施形態のプレキャストコンクリート部材１によれば、排水路２０の水勾配ｉｗにより雨水等を縦目地方向に排水することが可能に構成されているため、太陽電池２の表面に雨だれによる汚れが付着することを低減させることができる。
そのため、太陽電池２の表面の清掃に要する手間を省略することが可能となる。
【００４５】
また、取付面１１の上端に沿って取付溝１４が形成されているため、壁部１０の表面に沿って上方から流下した雨水等は、取付溝１４に沿って左右に流れて、太陽電池２の表面を流れる雨だれの量を最小限に抑えることができる。
【００４６】
また、突出部３０は、取付面１１よりも前方に突出しているため、図６に示すように、当該突出部３０が、プレキャストコンクリート部材１を平積みする際の接触面となる。
そのため、太陽電池２を取り付けた状態でプレキャストコンクリート部材１を平積みして搬送することができる。
【００４７】
突出部３０が太陽電池２の表面よりも突出しているため、プレキャストコンクリート部材１の製造、ストック、運搬、取り付け等における太陽電池２が何かに接触する確率が低減されている。
予め太陽電池２が設置されたプレキャストコンクリート部材１を搬入し、施工することで、現場での作業を少なくし、工期短縮化を図ることができる。
【００４８】
凹溝１２および貫通孔１３内に太陽電池２の電気ケーブルを配線することで、電気ケーブルを保護するとともに、意匠的にも優れている。
【００４９】
電気ケーブルは凹溝１２に収容した状態で密閉可能なため、工場等においてプレキャストコンクリート部材１への太陽電池２の設置および配線を完了させた状態で、現場に搬入することができる。また、漏水のおそれも少ない。そのため、簡易に高品質施工を実現することができる。
【００５０】
太陽電池２は、取付面１１に貼り付けることにより設置されているため、経年劣化により太陽電池２を交換する必要が生じた際に、簡易に交換作業を行うことができる。
【００５１】
取付面１１が上向きに傾斜していることで太陽光を効率的に受光することができる。
【００５２】
以上、本発明について、好適な実施形態について説明した。しかし、本発明は、前述の各実施形態に限られず、前記の各構成要素については、本発明の趣旨を逸脱しない範囲で、適宜変更が可能である。
【００５３】
例えば、プレキャストコンクリート部材の使用目的は限定されるものではない。
また、プレキャストコンクリート部材１の形状寸法は、その使用目的に応じて適宜決定すればよい。例えば、プレキャストコンクリート部材１を建物の外壁として使用する場合には、図７に示すように、版状に形成すればよい。
【００５４】
また、前記実施形態では、プレキャストコンクリート部材１に取付面１１、排水路２０および突出部３０を２段ずつ形成するものとしたが、取付面１１、排水路２０および突出部３０の段数は限定されるものではなく、１段でもよいし、図７に示すように３段以上形成してもよい。
【００５５】
また、壁部１０の背面に形成される凹溝１２の形状は限定されるものではなく適宜設定すればよい。  
【符号の説明】
【００５６】
１      プレキャストコンクリート部材
２      太陽電池
１０    壁部
１２    凹溝
１３    貫通孔
１１    取付面
１１ａ  取付面の法線
２０    排水路
３０    突出部
【図１】
2012036621.tif 000003
【図２】
2012036621.tif 000004
【図３】
2012036621.tif 000005
【図４】
2012036621.tif 000006
【図５】
2012036621.tif 000007
【図６】
2012036621.tif 000008
【図７】
2012036621.tif 000009